(57)【要約】【課題】使用、収納に便利で、手を添えるのが不要なので、怪我をする危険がない砥ぎ石座が得られる砥ぎ石座構造を提供する。【解決手段】主に、吸盤、弾性素子、主座体、砥ぎ石ユニット、制御とって、及び、蓋体、からなる。吸盤は、吸付力を有し、上方に、引き棒を延伸している。吸盤は、引っ張り棒上に設置され、主座体の中央に、貫通孔を有し、引っ張り棒は、貫通孔を穿過する。貫通孔は、上方の槽まで延伸し、槽の一側に、結合座を延伸している。結合座上には、スロットを設置し、主座体の底部には空間があり、この空間の周縁に、吸盤周縁に適合する圧合凸縁を有する。制御とっては、結合部を有し、結合部により、引き棒と結合し、下方に抵圧ブロックを形成し、制御とっては外側に、とって棒を延伸し、蓋体は、主座体上に蓋合される。【選択図】図２
0003118501.tif 000002
【実用新案登録請求の範囲】
【請求項１】
砥ぎ石座の構造であって、少なくとも、吸盤、主座体、及び、砥ぎ石ユニット、からなり、その特徴は、
前記吸盤は、前記主座体上に結合され、前記吸盤により、前記主座体を平整面に固定することが出来、刀具の研磨に使用する前記とぎ石ユニットは、前記主座体上に結合され、前記吸盤による固定後、安定、且つ、安全に研磨が実行できることを特徴とする砥ぎ石座構造。
【請求項２】
前記主座体と前記吸盤の結合は、前記蓋体により上方から蓋合するもので、前記吸盤は、制御とってにより制御し、
前記吸盤は、吸付力を有し、上方に、引き棒を延伸し、前記主座体の中央に、貫通孔を有し、前記貫通孔は、上方の槽まで延伸し、前記槽の一側に、結合座を延伸し、前記結合座上には、スロットを設置し、前記主座体の底部には空間があり、この空間の周縁に、前記吸盤周縁に適合する圧合凸縁を有し、前記制御とっては、結合部を有し、前記結合部下方に、偏心の抵圧ブロックを設置し、前記制御とっては外側に、とって棒を延伸し、前記蓋体上方に透孔を有し、
上述の構造により、前記吸盤は、前記引き棒により、前記主座体の貫通孔中に穿入され、前記砥ぎ石ユニットは、前記主座体のスロット内に結合され、前記蓋体は、前記主座体の上蓋により鎖固され、前記砥ぎ石ユニットは、前記透孔から伸出することを特徴とする請求項１に記載の砥ぎ石座構造。
【請求項３】
前記吸盤の前記引き棒は、弾性素子を設置し、前記吸盤は、前記引き棒により、前記主座体の貫通孔中に穿入して結合することを特徴とする請求項２に記載の砥ぎ石座構造。
【請求項４】
前記とぎ石ユニットは、両片が重畳しており、畳合後、中央に、砥ぐ空間を形成することを特徴とする請求項２に記載の砥ぎ石座の改良構造。
【請求項５】
前記蓋体は、前記透孔の両辺に、制限部を延伸することを特徴とする請求項２に記載の砥ぎ石座構造。
【請求項６】
前記蓋体の前記制限部の一側の斜面上に、砥ぎ石塊を結合することを特徴とする請求項２に記載の砥ぎ石座構造。
【考案の詳細な説明】
【技術分野】
【０００１】
本考案は、刀具研磨用具に関するものであって、特に、吸付固定効果を有し、使用と収納に便利な、砥ぎ石座構造に関するものである。
【背景技術】
【０００２】
一般の砥ぎ石は、長方形状で、刀具の刃を上方に傾斜して滑移して研磨する。この使用方式は、砥ぎ石を大量に消耗し、且つ、使用の便宜性や速度において理想的でない。また、砥ぎ石は、重いし、収納にも困る。これらの欠点を改善するために、砥ぎ石を小さい直方体に設置し、砥ぎ石を砥ぎ石座上に結合し、砥ぎ石は特殊設計で、直接、刀具の刃部位を収容でき、刃を移動させて研磨させるものが開発された。しかし、このような方式では、使用時に、刀具を砥ぎ石上で滑移する過程で、手を砥ぎ石、及び、砥ぎ石座に添えなければならないので、非常に危険であり、特に、設計が小さくなれば、危険性は更に高くなる。
【考案の開示】
【考案が解決しようとする課題】
【０００３】
本考案は、体積が大きい、重量が重い、使用時に危険が伴う等の公知技術の欠点を改善する砥ぎ石、或いは、砥ぎ石座構造を提供することを目的とする。
【課題を解決するための手段】
【０００４】
本考案の砥ぎ石座構造は、主に、吸盤、弾性素子、主座体、砥ぎ石ユニット、制御とって、及び、蓋体、からなる。吸盤は、吸付力を有し、上方に、引き棒を延伸している。主座体の中央に、貫通孔を有し、貫通孔は、上方の槽まで延伸し、槽の一側に、結合座を延伸している。結合座上には、スロットを設置し、主座体の底部には空間があり、この空間の周縁に、吸盤周縁に適合する圧合凸縁を有する。砥ぎ石ユニットは、両片が重畳しており、畳合後、中央に、砥ぐ空間を形成する。制御とっては、結合部を有し、結合部下方に、偏心の抵圧ブロックを設置する。制御とっては外側に、とって棒を延伸し、蓋体上方に、透孔を設け、透孔の両側に、制限部を有する。上述の素子の組み合わせ構造により、砥ぎ石座が得られる。
【考案の効果】
【０００５】
本考案により、以下のような効果が得られる。
１．使用時、砥ぎ石座本体は、固定素子上に吸付されるので、使用者は、手によりそれを押さえる必要がなく、手部を怪我する恐れがなく、且つ、砥ぎ石座は、更に小さく、軽妙である。
２．砥ぎ石座は、吸盤により、垂直に、任意の面に吸付することができ、冷蔵庫やガラス面にも吸付できるので、収納空間を節約し、探す手間も省け、また、垂直面で、研磨を実行することも出来る。
【考案を実施するための最良の形態】
【０００６】
図１、図２で示されるように、本構造は、主に、吸盤１０、弾性素子２０、主座体３０、砥ぎ石ユニット４０、制御とって５０、及び、蓋体６０、からなる。吸盤１０は、吸付力を有し、上方に、引き棒１１を延伸している。主座体３０の中央に、貫通孔３１を有し、貫通孔３１は、上方の槽３２まで延伸し、槽３２の一側に、結合座３３を延伸している。結合座３３上には、スロット３４を設置し、主座体３０の底部には空間があり、この空間の周縁に、吸盤１０周縁に適合する圧合凸縁３５を有する。砥ぎ石ユニット４０は、両片が重畳しており、畳合後、中央に、砥ぐ空間を形成する。制御とって５０は、結合部５１を有し、結合部５１下方に、偏心の抵圧ブロック５２を設置する。制御とって５０は外側に、とって棒５３を延伸する。蓋体６０上方に、透孔６１を設け、透孔６１の両側に、制限部６２を有し、この制限部６２は、一方に傾く斜面６３を有し、斜面６３上に、砥ぎ石塊６４を設置する。
【０００７】
構造の組み合わせは、図１、図３で示されるように、弾性素子２０が吸盤１０の引き棒１１上に設置され、吸盤１０は、引き棒１１により、主座体３０の貫通孔３１に穿入され、制御とって５０は、結合部５１により、槽３２を経て引き棒１１と結合され、制御とって５０は、引き棒１１上で回転できる。砥ぎ石ユニット４０は、主座体３０のスロット３４内に結合され、蓋体６０は、主座体３０上蓋により鎖固されると共に、砥ぎ石ユニット４０上段から透孔６１を伸出させればよい。
【０００８】
使用時、図３、図４で示されるように、砥ぎ石座を、平整表面上に放置して使用し、吸盤１０で平整面に吸付し、この時、制御とって５０のとって棒５３を回転させ、とって棒５３は、抵圧ブロック５２により偏転を生成して、吸盤１０の引き棒１１を上に引っ張り、同時に、主座体３０は、下に抵圧される。圧合凸縁３５により、吸盤１０周縁に圧設し、吸盤１０により緊密、確実な吸付を生成し、その後、刀具を、蓋体６０の透孔６１間の砥ぎ石ユニット４０において研磨を実行する。
【０００９】
切れが悪くなった刀具は、刃辺縁に小さな凹凸が生成するが、これを直接砥ぎ石ユニット４０で研磨するのは不適切であり、まず、蓋体６０の砥ぎ石塊６４でそれを除去した後、砥ぎ石ユニット４０で研磨する。
【００１０】
上述の構造により、以下のような効果が得られる。使用時、砥ぎ石座本体は、固定素子上に吸付されるので、使用者は、手によりそれを押さえる必要がなく、手部を怪我する恐れがなく、且つ、砥ぎ石座は、図５で示されるように、更に小さく、軽妙であり、吸盤１０により、垂直に、任意の面に吸付することができるので、冷蔵庫やガラス面にも吸付できるので、収納空間を節約し、探す手間も省け、また、垂直面で、研磨を実行することも出来る。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の立体組み合わせ図である。
【図２】本考案の立体分解図である。
【図３】本考案の組み合わせ断面の未吸付状態を示す図である。
【図４】本考案の組み合わせ断面の吸付状態を示す図である。
【図５】本考案の平面上での使用状態を示す図である。
【図６】本考案の垂直面上での使用状態を示す図である。
【符号の説明】
【００１３】
１０…吸盤
１１…引き棒
２０…弾性素子
３０…主座体
３１…貫通孔
３２…槽
３３…結合座
３４…スロット
３５…圧合凸縁
４０…砥ぎ石ユニット
５０…制御とって
５１…結合部
５２…抵圧ブロック
５３…とって棒
６０…蓋体
６１…透孔
６２…制限部
６２…斜面
６４…砥ぎ石塊
【図１】
0003118501.tif 000003
【図２】
0003118501.tif 000004
【図３】
0003118501.tif 000005
【図４】
0003118501.tif 000006
【図５】
0003118501.tif 000007
【図６】
0003118501.tif 000008